(57)【要約】情報を記録して管理する方法において、情報は、製品上に、手持ち式書き込みデバイスを用いて書かれ、この手書き情報は、電子的に記録され、また、通信ネットワーク中で少なくとも部分的に通信される。そのうえ、ユーザは、電子的に記録され、また、電子的に記録された情報を通信ネットワーク中で管理することを認定するコマンドを、書き込みデバイスによって書き込む。情報を管理するシステムと、このようなシステム中のサーバユニットと、情報管理用のコンピュータプログラムと、製品も記述される。
2004508632.tif 000002
【特許請求の範囲】
【請求項１】
情報を記録して管理する方法であり、該方法が：
情報を製品（Ｐ）上に、手持ち式書き込みデバイス（ＤＰ）を用いて書き込むステップと；
前記手書き情報を電子的に記録するステップと；
前記記録された情報の少なくとも一部を通信ネットワーク中で通信するステップと；
を含み、前記書き込みデバイス（ＤＰ）を用いて、電子的に記録され、また、前記電子的に記録された情報を前記通信ネットワーク中で管理することを認定するコマンドを書き込む追加ステップを含むことを特徴とする方法。
【請求項２】
前記書き込まれた情報と前記コマンドが前記書き込みデバイス（ＤＰ）によって電子的に記録される、請求項１に記載の方法。
【請求項３】
コマンドの存在が、前記コマンドに含まれる記号によって識別される、請求項１又は２に記載の方法。
【請求項４】
前記コマンドの意味が、望ましくは平文で前記コマンド中に含まれるキャラクタのストリングで識別される、先行する請求項のいずれか一項に記載の方法。
【請求項５】
前記コマンドがコマンド語のシーケンスとして書かれ、また、前記シーケンス中の後続のコマンド語の各々が、前記先行するコマンド語を認定する、先行する請求項のいずれか一項に記載の方法。
【請求項６】
前記情報が、前記製品（Ｐ）の位置コード（ＰＣ）を検出する前記書き込みデバイス（ＤＰ）によって一つ以上の位置として電子的に記録される、先行する請求項のいずれか一項に記載の方法。
【請求項７】
前記記録された情報の管理が、前記記録された情報の少なくとも一つの位置に基づいて制御される、請求項６に記載の方法。
【請求項８】
前記コマンドが、前記製品（Ｐ）上に書かれる、請求項６又は７に記載の方法。
【請求項９】
前記コマンドが、内部に書き込められた情報のキャラクタ解釈専用の位置コーディングされた欄（１０１〜１０３）に書かれる、請求項６、７又は８に記載の方法。
【請求項１０】
前記コマンドが、コマンド専用の位置コーディングされた欄（１０３）に書かれる、請求項６から９の内のいずれか一項に記載の方法。
【請求項１１】
前記コマンドが、前記記録された情報の少なくとも一部の変換を始動する、先行する請求項の内のいずれか一項に記載の方法。
【請求項１２】
前記コマンドが、前記記録された情報の少なくとも一部のキャラクタ解釈を始動する、先行する請求項の内のいずれか一項に記載の方法。
【請求項１３】
前記コマンドが、前記記録された情報の少なくとも一部の記憶を始動する、先行する請求項の内のいずれか一項に記載の方法。
【請求項１４】
前記コマンドが、前記記録された情報の少なくとも一部のフォーマッティングを始動する、先行する請求項の内のいずれか一項に記載の方法。
【請求項１５】
前記コマンドが、前記記録された情報の少なくとも一部と関連した、背景画像や付属物などの、情報オブジェクトを始動する、先行する請求項の内のいずれか一項に記載の方法。
【請求項１６】
前記コマンドが、支払いサービスを識別する、先行する請求項の内のいずれか一項に記載の方法。
【請求項１７】
情報を管理するシステムにおいて、前記システムが：
製品（Ｐ）と；
前記製品（Ｐ）上に手書き情報を電子的に記録して、前記情報の少なくとも一部を通信ネットワーク中で通信するように適用された書き込みデバイス（ＤＰ）と；
を備え、前記製品（Ｐ）が、前記手書き情報を前記通信ネットワーク中で管理することを認定するコマンドを入力することを可能とする欄（１００〜１０３）を有することを特徴とする、システム。
【請求項１８】
前記書き込みデバイス（ＤＰ）が、前記コマンドの入力と電子的記録を同時に実行するように設計された、請求項１７に記載のシステム。
【請求項１９】
前記製品（Ｐ）が少なくとも一つの位置をコーディングする位置コード（ＰＣ）を備え、また、前記書き込みデバイス（ＤＰ）が前記位置コード（ＰＣ）を検出することによって前記情報を記録するように設計される、請求項１７又は１８に記載のシステム。
【請求項２０】
前記欄（１００〜１０３）が少なくとも一つの位置をコーディングする位置コード（ＰＣ）を備え、また、前記書き込みデバイス（ＤＰ）が前記位置コード（ＰＣ）を検出することによって前記コマンドを記録するように設計される、請求項１７、１８又は１９に記載のシステム。
【請求項２１】
前記欄（１０１〜１０３）が、内部に書き留められた情報のキャラクタ解釈専用である、請求項１７から２０の内のいずれか一項に記載のシステム。
【請求項２２】
前記欄（１０３）がコマンド専用である、請求項１７〜２１の内のいずれか一項に記載のシステム。
【請求項２３】
前記通信ネットワークに含まれ、また、前記コマンドを解釈して実行するように設計されたサーバユニット（ＰＬＳ；ＳＨ）をさらに備える、請求項１７から２２の内のいずれか一項に記載のシステム。
【請求項２４】
前記サーバユニット（ＰＬＳ；ＳＨ）がまた、前記記録された情報の管理を前記情報の位置コンテンツに基づいて制御するように設計された、請求項２３に記載のシステム。
【請求項２５】
コマンドの存在を、前記コマンドに含まれる記号に基づいて識別するように設計された、請求項１７から２４の内のいずれか一項に記載のシステム。
【請求項２６】
コマンドの意味を、前記コマンドに含まれるキャラクタストリングに基づいて識別するように設計された、請求項１７から２５の内のいずれか一項に記載のシステム。
【請求項２７】
電子情報を管理するシステムに含まれるように適用されたコンピュータユニットであり、前記コンピュータユニットは、複数の位置表示を受信し、前記位置表示の内から手書き情報を表す情報量を識別し、前記位置表示を走査してコマンドを識別し、前記コマンドを識別したら前記コマンドに基づいて前記情報量を認定するように適用された、コンピュータユニット。
【請求項２８】
前記位置表示の内から所与の位置を、走査している間に探索するように設計された、請求項２７に記載のコンピュータユニット。
【請求項２９】
所定の記号を、走査している間に探索するように設計された、請求項２７又は２８に記載のコンピュータユニット。
【請求項３０】
前記コマンドを形成するキャラクタストリングを、走査している間に識別するように設計された、請求項２７、２８又は２９に記載のコンピュータユニット。
【請求項３１】
また、前記位置表示の内から少なくとも一つの位置に基づいて、前記位置表示の管理を制御するように設計された、先行する請求項の内いずれか一項に記載のコンピュータユニット。
【請求項３２】
コンピュータ読み取り可能記憶媒体上に記憶され、また、コンピュータに、複数の位置表示を受信させ、前記位置表示から手書き情報を表す情報量を識別させ、コマンドの識別のために前記位置表示を走査させ、前記コマンドのが識別されたら前記コマンドに基づいて前記情報量を認定させる命令を含む、情報管理用コンピュータプログラム。
【請求項３３】
位置コード（ＰＣ）を検出する書き込みデバイス（ＤＰ）によって製品上に書かれた情報の電子的な記録と管理を可能とする前記位置コード（ＰＣ）を備えた製品において、前記電子的に記録された情報の管理を認定するコマンドを入力することを可能とする位置コーディングされた欄（１０１〜１０３）を備えることを特徴とするコンピュータプログラム。
【発明の詳細な説明】
【０００１】
（技術分野）
本発明は、一般的には、情報の電子的記録と通信に関する。
【０００２】
（背景技術）
コンピュータ、ＰＤＡ、携帯電話及び類似物に情報を入力する多くの手持ち式の装置が開発されている。このような装置の例には、テキストを入力する読み取りペンや、位置決定によって手書きの情報を電子的に記録する電子的書き込み／ポインティングデバイスがある。書き込みデバイスに組み込まれた加速時計、ジャイロ、又は機械的運動検出器などの電子的書き込みデバイスで、書き込みデバイスの周辺に配置された、レーザ光線や、音波や、無線波や赤外線放射線用のトランシーバからの信号の三角測量や、圧力感知式書き込みタブレット／ディスプレイとの相互作用や、書き込みベースによって発生された電磁場との相互作用などによって、位置決定を遂行する極めて様々な技法が存在する。
【０００３】
出願者に譲受され、参照してここに組み込まれる特許公報ＷＯ０１／１６６９１には、コンピュータ又は類似物に情報を純粋に入力することに加えて、電子的書き込みデバイスの機能性を向上させる技法が開示されている。この目的のため、位置コードを検出するように設計された書き込みデバイスと共に、書き込み欄中に書き留められた情報を電子的に記録するための、製品の書き込み欄中の複数の位置をコーディングする位置コードが用いられる。本製品はまた、書き込みデバイスによって検出されると、書き込みデバイスに対して、記録された情報を用いながら所定の動作を始動させる少なくとも一つの起動アイコンを有している。より具体的には、位置コーディングされた製品は、起動アイコン中の位置や書き込み欄中の位置などの製品の様々な位置が、様々な機能専用である内蔵機能を有している。位置コードはまた、製品上の必要な位置よりはるかに多くの位置の絶対座標をコーディングすることが可能である。したがって、位置コードは、位置コードによってコーディングすることが可能な全ての位置によって画定される仮想表面を構成するものと考えることが可能であり、仮想表面上の様々な位置は、様々な機能及び／又はオペレータの専用である。
【０００４】
書き込みデバイスと位置コーディングされた製品の合成物は、上記の先行技術技法の場合と同じように、コンピュータや、ＰＤＡや、携帯電話やなどの入力デバイスとして使用することが可能である。例えば、ノートブックのページに書き留められた手書きのテキストやスケッチは、書き込みデバイスを介して、コンピュータに転送することが可能である。しかしながら、書き込みデバイスと位置コーディングされた製品の合成物もまた、書き込みデバイスがインターネットや電話回線等の通信ネットワークと通信すれば、電子商取引に使用することが可能である。例えば、書き込みデバイスを用いて、雑誌中の位置コーディングされた宣伝に基づいて、宣伝内のこの位置をこのような機能専用とすることで、製品やサービスを注文することが可能である。これに対応して、グローバル通信が、適切に位置付けされた製品から直接に書き込みデバイスによって可能となっている。書き込みデバイスによって記録された情報は、例えば、ファクシミリのメッセージや、ｅメールメッセージや、ＳＭＳに変換し、次に、書き込みデバイスから受領者に対して通信ネットワークを介して送ることが可能である。
【０００５】
上記の場合、ユーザは、一般的には、図形情報入力用の位置コーディング済み書き込み欄や、アドレス情報入力用の位置コーディング済みアドレス欄や、ヘッディング入力用の位置コーディング済み主題欄や、通信方法（ファクシミリ、ｅメール、ＳＭＳ）選択用の位置コーディング済み複数選択欄などの事前印刷済み図形や位置コードを備えたノートブックやスクラッチパッドなどの製品を有している。
【０００６】
このタイプの製品が市場で確立されるに連れて、新しいサービスが開発され、そのため、例えば、記録済みの情報管理用に様々なオプションが追加されるなど、既存のサービスが改善される。これは、新しい製品もまた、印刷されなければならないことを意味するが、これらは開発され改善されたサービスに適用される。これによってまた、製品の製造と流通に対する大きい要求となって、最新版の製品が市場で入手可能となることを保証する。そのうえ、旧版の製品が拒絶される可能性があるが、その結果、経費がかかる。また、ユーザにとっては、また経費と関連するが、ある種の製品の最新版に常に手が届くようにすることは困難である。
【０００７】
（発明の開示）
したがって、本発明の目的は、上記の問題を克服する方法を提供することである。
【０００８】
上記の目的及び他の目的は、以下の説明から明瞭であり、また、クレーム１による方法、クレーム１７によるシステム、クレーム２７によるコンピュータユニット、クレーム３２によるコンピュータプログラム及びクレーム３３による製品によって完全に又は部分的に達成される。好ましい実施形態は、添付クレーム記載されている。
【０００９】
したがって、本発明は、電子的に記録された情報を通信ネットワーク中で管理することを認定するコマンドを入力することを可能とする。このコマンドは、改善コマンドと見なすことが可能である。ユーザは、ある種のサービス専用の既存の製品を用いるかもしれないが、それでも、このサービスをさらに開発したものにアクセスする。したがって、ユーザは、さらに開発されたサービスに迅速に、実際、通信ネットワークに導入されるとすぐにアクセスする。サービス提供者は、自身のサービスをさらに開発でき、同時に、市場に流通している製品を保持できるという利点がある。また、新しい製品、例えば、図形の新しくレイアウトされた位置コーディング済みの紙などを製造して流通する経費無しで、さらなる開発に対する市場の感応性をテストすることが可能である。本発明によってまた、ユーザは、所望のコマンドを入力することによって、一般的な製品を用いたり、サービスの選択を制御したりすることが可能となる。
【００１０】
本発明を、現在好ましいとされる実施形態を以下の略図で示す添付図面を参照して、例を通じて以下に説明する。
【００１１】
（発明を実施するための最良の形態）
図１に、本発明を実施することが可能なシステムを示す。本システム及びその代替例は、参照してここに組み込まれる出願人の国際特許出願ＰＣＴ／ＳＥ００／０２６４０、ＰＣＴ／ＳＥ００／０２６４１及びＰＣＴ／ＳＥ００／０２６５９に記載されている。図１のシステムは、複数の書き込みデバイスすなわちディジタルペンＤＰと、位置コードＰＣ付きの複数の製品Ｐと、ルックアップユニットＰＬＳと、少なくとも一つのサービス提供ユニットＳＨと、から成っている。
【００１２】
ディジタルペンＤＰは、位置コードＰＣを製品Ｐ上で局所的に記録して、この記録された位置コードＰＣを製品Ｐ上のペンＤＰの位置に変換するように設計されている。ユーザが製品Ｐ上においてペンＤＰで書き込みをすると同時に、それに対応する位置のシーケンスが電子的に記録される。位置コードＰＣとディジタルペンＤＰは、参照してここに組み込まれる出願人の特許公報ＷＯ０１／２６０３２とＷＯ０１／２６０３３に詳述されている。
【００１３】
序文で述べたように、ＷＯ０１／１６６９１を検討すると、仮想表面を形成し、また、様々な機能及び／又はオペレータ専用となっている非常に多くの位置の絶対座標をコーディングすることが可能な位置コードＰＣが用いられる。製品Ｐ上のこれらの位置のサブ集合のみがコーディングされる。
【００１４】
ルックアップユニットＰＬＳは、仮想表面に関する情報、例えば仮想表面上の様々な位置と様々なサービス提供ユニットＳＨのアドレスとの接続を包含するデータベースＤＢにアクセスするサーバユニットである。
【００１５】
サービス提供ユニットＳＨは、例えばファックスや、ｅメールメッセージや、ＳＭＳなどの形態で、ディジタル情報を記憶したり受領者に対して送出したり、また、製品や情報の転送を始動したりするサービスを実行するサーバユニットである。
【００１６】
ユーザは、本システムに接続すると、書き込みデバイスＤＰによって、位置コーディングされた製品Ｐ上に情報を書き留め、次に、起動アイコンＡＩを印付けする。ペンＤＰが起動アイコンＡＩを記録すると、ルックアップユニットＰＬＳにメッセージを送信されるが、このメッセージは、製品Ｐ上に記録された電子情報からの少なくとも一つの位置を包含している。図示の例では、ペンＤＰから、携帯電話や、コンピュータや、ＰＤＡなど、通信ネットワークでルックアップユニットＰＬＳと通信するネットワーク接続ユニットＭに無線送信が実行される。代替例として、ネットワーク接続ユニットＭを、ペンＤＰに組み込むことが可能である。
【００１７】
ルックアップユニットＰＬＳがペンＤＰからメッセージを受信すると、データベースＤＢ中でルックアップが実行される。メッセージの位置コンテンツに基づいて、次に、ルックアップユニットＰＬＳは、ペンＤＰに指令して、例えば、ネットワークアドレス（ｕｒｌ）をペンＤＰに返信することによって通信ネットワーク中で特定のサービス提供ユニットＳＨと通信させる。次に、ペンＤＰは、ネットワーク接続ユニットＭを介して、電子的に記録された情報を指定されたサービス提供ユニットＳＨに送信する。
【００１８】
このサービス提供ユニットＳＨは、製品Ｐ上の各位置の機能性に関するデータを包含しているデータベースＸＤＢに都合よく接続する。次に、サービス提供ユニットＳＨは、受信した情報をその位置コンテンツによって処理する。
【００１９】
サービス提供ユニットＳＨは、サービス提供者によって調整されるが、このサービスプロバイダは、電子メッセージサービスや、電子カレンダー処理を提供するカレンダー製作者や、通信ネットワーク中でデータ記憶を提供するデータ記憶会社などを提供するネットワークオペレータであったりする。各サービス提供者は、原則として、事前定義された図形フィールドを持つ自分自身の位置コーディング済み製品Ｐと所望の機能性を有する関連する位置コードＰＣを作成している。しかしながら、本発明によれば、ユーザは、製品Ｐ上に示されている可能な事項に加えて、通信ネットワーク中での情報の管理を認定することができる。
【００２０】
図２に、本発明に従って、ユーザによって、ユーザが図１のシステム中で情報を通信しているときに実行可能なステップを示す。これらのステップは、図３ａ〜３ｃを参照して、本システム中に含まれる製品の互いに異なった３つの実施形態に関する以下の説明と関連してより詳細に示す。
【００２１】
図３ａにおける製品は、図形情報を書き留める書き込み欄１００や、電話番号、ファックス番号もしくはｅメールアドレスなどの受信アドレスを入力するアドレス欄１０１や、ヘッディングを入力する主題欄１０２や、コマンドを入力するコマンド欄１０３や、送出ボックス１０４という形態の起動アイコンを包含している。アドレス欄１０１、主題欄１０２及びコマンド欄１０３は、関連情報のＯＣＲによる解釈（光文字認識）の始動専用の位置をコーディングする。このＯＣＲ解釈は、ペンＤＰ内や、ルックアップユニットＰＬＳ内や、サービス提供ユニットＳＨ内で実行することが可能である。
【００２２】
ユーザは、コマンド欄１０３にコマンドを書き留めることによって、一般的には書き込み欄１００中で、製品上に書き留められている情報の管理を改善させることが可能である。このコマンドは、平文で、対応する動作を識別するキャラクタのシーケンスであれば適切であるが、このコマンドには、例えば、ＩＮＴＥＲＰＲＥＴ（これで、書き込み欄１００中の情報がＩＣＲ解釈される［インテリジェントキャラクタ認識］）、ＴＲＡＮＳＬＡＴＥ（これで、書き込み欄１００中の情報がＩＣＲ解釈されて変換される）、ＳＴＯＲＥ（これで、書き込み欄１００中の情報が記憶ロケーションにセーブされる）、ＦＯＲＭＡＴ（これで、書き込み欄１００中の情報が所与のパターンに従ってフォーマッティングされる）、ＢＡＣＫＧＲＯＵＮＤ（これで、書き込み欄１００中の情報が、背景画像に対して提示される）などがある。
【００２３】
ユーザは、主要コマンド名に対して追加の定義を、例えば、“／”などの適切な分離記号を介して付加し、次に、このようにして、ＦＯＲＭＡＴ／ＰＯＷＥＲＰＯＩＮＴや、ＴＲＡＮＳＬＡＴＥ／ＥＮＧＬＩＳＨや、ＢＡＣＫＧＲＯＵＮＤ／ＡＬＰＳなどの複合コマンドを構成する。他の複合コマンドは、問題となっているサービスに対する支払いのためのモードの指示に関連したりするが、そのコマンドには、ＰＡＹ／ＶＩＳＡ（所定の口座から引き出された支払い）、ＰＡＹ／ＶＩＳＡ／１２３４１２３４１２３４１２３４（指示された口座番号から引き出された支払い）や、ＰＡＹ／ＴＥＬＥ（通信ネットワーク中におけるユーザの情報の管理を調整するオペレータによって送られた経費）などがある。
【００２４】
コマンドが仮想表面の所与の部分に記録されることによって、サービス提供ユニットＳＨに送信されたメッセージ中の他の情報と区別することが可能となるが、このユニットは、このコマンドを動作に変換し、この動作は、書き込み欄１００中に記録された情報に対して実行されるが、この情報もまたその位置コンテンツに基づいて識別される。
【００２５】
2004508632.tif 000003
【００２６】
ユーザはまた、コマンドをアドレス欄１０１又は主題欄１０２に、オプションとして、それぞれアドレスやヘッディングの脇に書き留めることが可能である。
【００２７】
図３Ｃの製品は、極めて一般的なものであり、これによって、製品Ｐ上の専用のコマンド欄１０３に書き込まれたコマンドに基づいて多くの様々なサービスにアクセスすることが可能である。
【００２８】
したがって、ユーザは、書き込み欄１００中に情報を書き留めて、次に、選択されたサービスの識別を含む複合コマンドと補足情報を書き込むことが可能であるが、この補足情報には、ＦＡＸ／０８−１００１００（書き込み欄１００中の情報は、指示されたファックス番号に送信される）、ＳＴＯＲＥ／ＣＡＬＥＮＤＡＲ（書き込み欄１００中の情報は、サービス提供者のカレンダーアプリケーションに記憶される）、ＳＭＳ／０７３３−１００１００／ＡＴＴＡＣＨＭＥＮＴ／ＡＬＰＳ（書き込み欄１００中の情報はＳＭＳとして指示された電話番号に送信されて、アルパインの景色を示す情報オブジェクトと共に提示される）などがある。
【００２９】
図４に、情報の管理において、製品Ｐの設計とは無関係に、図１のシステム中で実行されるステップを概略的に示す。メッセージがサービス提供ユニットＳＨによって受信されると、このユニットは、内部で関連する情報量を識別し、また、メッセージ中のコマンドを探索する。コマンドが見つかれば、それに対応してこの情報量は認定される。上記の例では、コマンドは、サービス提供ユニットＳＨ中で動作に変換される。しかしながら、この変換は、その替わりに、ルックアップユニットＰＬＳや、さらにペンＤＰ内ですら実行することも可能であることを強調すべきであり、これらのはどちらも、自分自身が、動作を実行するか又は、それに対応する命令をサービス提供ユニットＳＨに送出する。
【００３０】
コマンドの識別と動作へのその変換は、コンピュータ／サーバで実行されるソフトウエアという形態で都合よく遂行される。当業者は、上記の内容に基づいて、このようなソフトウエアを設計することが可能である。ある種のタイプのコマンドの場合、こうする替わりに、コマンドの識別、また、オプションとして動作へのその変換も、同語に実行することが可能である。
【００３１】
利用可能なコマンドの調整は、例えば、ルックアップユニットＰＬＳと接続して中央で実行すれば適切である。図１から明らかなように、本システムは、ルックアップユニットＰＬＳのデータベースＤＢに対するインタフェースＩＦにアクセスするポータルＰを備えることがあるが、このデータベースは利用可能なコマンドのリストを含むことがある。したがって、ユーザは、自分自身に対して、これらを、例えばインターネットを介して通知することが可能である。代替例としては、すなわち、それに加えて、ポータルＰは、サービス提供者が利用可能コマンドを調整する場合、そのサービスプロバイダのデータベースＸＤＢに対するインタフェースＸＩＦにアクセスすることが可能である。
【００３２】
ここに求められている特許保護の範囲は、上記の実施形態に限られないことを指摘すべきである。本発明は、添付クレームの範囲内で様々な仕方で変更及び修正され得る。
【００３３】
例えば、本発明は、絶対位置コードや相対位置コードを使用することに限られない。上記の検討は、製品のディジタル等価物が、例えば製品上の製品ＩＤを入力／読み取ることによって光学的に識別され、また、情報が電子的に書き込みデバイスによって相対位置という形態で製品上に記憶されるような実施形態にも応用可能である。このような書き込みデバイスにおいては、この位置は、オプション的な仕方、例えば、序文で述べたような技法の内の一つに基づいて決定することが可能である。
【００３４】
また、コマンドの存在は、製品が専用コマンド欄を有する場合も、コマンド記号によって識別することが可能であることを指摘すべきである。
【図面の簡単な説明】
【図１】
本発明を実施することが可能なシステムのある実施形態を示す図である。
【図２】
本発明のある実施形態による情報を通信する方法で実行可能なステップを示す図である。
【図３】
ａ〜ｃは図２に示す方法による情報の通信に用いられる製品の３つの互いに異なった実施形態を示す図である。
【図４】
情報が通信される図１のシステムで実行することが可能な方法のステップを示す図である
【図１】
2004508632.tif 000004
【図２】
2004508632.tif 000005
【図３】
2004508632.tif 000006
【図４】
2004508632.tif 000007
【国際公開パンフレット】
2004508632.tif 000008
2004508632.tif 000009
2004508632.tif 000010
2004508632.tif 000011
2004508632.tif 000012
2004508632.tif 000013
2004508632.tif 000014
2004508632.tif 000015
2004508632.tif 000016
2004508632.tif 000017
2004508632.tif 000018
2004508632.tif 000019
2004508632.tif 000020
2004508632.tif 000021
2004508632.tif 000022
2004508632.tif 000023
2004508632.tif 000024
2004508632.tif 000025
【国際調査報告】
2004508632.tif 000026
2004508632.tif 000027
2004508632.tif 000028
2004508632.tif 000029
2004508632.tif 000030
2004508632.tif 000031